(57)【要約】【課題】従来の情報処理システムにおいては、動画（放送される番組を含む）と電子ペンを使用した教育システムについては、考慮されていなかった。【解決手段】コンテンツを受信するステップと、前記コンテンツを出力するステップと、問題領域と解答領域の対を１以上有する媒体に記載された情報を電子ペンから受信するステップと、前記受信した情報に基づいて、問題情報と解答情報を対に有するカードを構成するステップと、カードの操作に関する指示である操作指示を受け付けるステップと、前記操作指示に基づいて、前記カードの問題情報または／および解答情報を出力するステップを具備する情報出力方法を実現する情報処理システムにより、電子ペンを用いた情報処理システムにおいて、コンテンツを視聴しながら記載した情報から、自動的に暗記のためのカードが構成できる。【選択図】図２
2006162972.tif 000002
【特許請求の範囲】
【請求項１】
媒体と、電子ペンと、情報出力装置と、送信装置を具備する情報処理システムであって、
前記媒体は、
問題を記載した領域である問題領域と解答を記載する領域である解答領域の対を１以上有し、
前記電子ペンは、
前記媒体に記載された情報を取得する情報取得部と、
前記情報取得部が取得した情報を前記情報出力装置に送信する送信部を具備し、
前記情報出力装置は、
前記送信装置からコンテンツを受信するコンテンツ受信部と、
前記コンテンツを出力する情報出力部と、
前記電子ペンから情報を受信するペン情報受信部と、
前記ペン情報受信部が受信した情報に基づいて、問題情報と解答情報を対に有するカードを構成するカード構成部と、
カードの操作に関する指示である操作指示を受け付ける操作指示受付部と、
前記操作指示に基づいて、前記カード構成部が構成したカードの問題情報または／および解答情報を取得するカード操作部と、
前記カード操作部が取得したカードの問題情報または／および解答情報を出力するカード出力部を具備し、
前記送信装置は、
コンテンツを格納しているコンテンツ格納部と、
前記コンテンツを送信するコンテンツ送信部を具備する情報処理システム。
【請求項２】
媒体と、電子ペンと、情報出力装置と、送信装置と、カード操作装置を具備する情報処理システムであって、
前記媒体は、
問題を記載した領域である問題領域と解答を記載する領域である解答領域の対を１以上有し、
前記電子ペンは、
前記媒体に記載された情報を取得する情報取得部と、
前記情報取得部が取得した情報を前記情報出力装置に送信する送信部を具備し、
前記情報出力装置は、
前記送信装置からコンテンツを受信するコンテンツ受信部と、
前記コンテンツを出力する情報出力部と、
前記電子ペンから情報を受信するペン情報受信部と、
前記ペン情報受信部が受信した情報に基づいて、問題情報と解答情報を対に有するカードを構成するカード構成部と、
前記カード構成部が構成したカードを前記カード操作装置に送信するカード送信部を具備し、
前記送信装置は、
コンテンツを格納しているコンテンツ格納部と、
前記コンテンツを送信するコンテンツ送信部を具備し、
前記カード操作装置は、
前記カードを受信するカード受信部と、
前記カード受信部が受信したカードを蓄積するカード蓄積部と、
カードの操作に関する指示である操作指示を受け付ける操作指示受付部と、
前記操作指示に基づいて、前記カード蓄積部が蓄積したカードの問題情報または／および解答情報を取得するカード操作部と、
前記カード操作部が取得したカードの問題情報または／および解答情報を出力するカード出力部を具備する情報処理システム。
【請求項３】
媒体と、電子ペンと、情報出力装置と、送信装置と、サーバ装置を具備する情報処理システムであって、
前記媒体は、
問題を記載した領域である問題領域と解答を記載する領域である解答領域の対を１以上有し、
前記電子ペンは、
前記媒体に記載された情報を取得する情報取得部と、
前記情報取得部が取得した情報を前記情報出力装置に送信する送信部を具備し、
前記情報出力装置は、
前記送信装置からコンテンツを受信するコンテンツ受信部と、
前記コンテンツを出力する情報出力部と、
前記電子ペンから情報を受信するペン情報受信部と、
前記ペン情報受信部が受信した情報を前記サーバ装置に送信するペン情報送信部と、
前記サーバ装置に送信した情報に基づいて構成された情報であり、問題情報と解答情報を対に有する情報であるカードを、前記サーバ装置から受信するカード受信部と、
前記カード受信部が受信したカードを蓄積するカード蓄積部と、
カードの操作に関する指示である操作指示を受け付ける操作指示受付部と、
前記操作指示に基づいて、前記カード蓄積部が蓄積したカードの問題情報または／および解答情報を取得するカード操作部と、
前記カード操作部が取得したカードの問題情報または／および解答情報を出力するカード出力部を具備し、
前記送信装置は、
コンテンツを格納しているコンテンツ格納部と、
前記コンテンツを送信するコンテンツ送信部を具備し、
前記サーバ装置は、
前記情報出力装置から電子ペンで記載された情報を受信する第二ペン情報受信部と、
前記第二ペン情報受信部が受信した情報に基づいて、問題情報と解答情報を対に有するカードを構成するカード構成部と、
前記カード構成部が構成したカードを前記情報出力装置に送信するカード送信部を具備する情報処理システム。
【請求項４】
媒体と、電子ペンと、情報出力装置と、送信装置と、サーバ装置と、カード操作装置を具備する情報処理システムであって、
前記媒体は、
問題を記載した領域である問題領域と解答を記載する領域である解答領域の対を１以上有し、
前記電子ペンは、
前記媒体に記載された情報を取得する情報取得部と、
前記情報取得部が取得した情報を前記情報出力装置に送信する送信部を具備し、
前記情報出力装置は、
前記送信装置からコンテンツを受信するコンテンツ受信部と、
前記コンテンツを出力する情報出力部と、
前記電子ペンから情報を受信するペン情報受信部と、
前記ペン情報受信部が受信した情報を前記サーバ装置に送信するペン情報送信部と、
前記サーバ装置に送信した情報に基づいて構成された情報であり、問題情報と解答情報を対に有する情報であるカードを、前記サーバ装置から受信するカード受信部と、
前記カード受信部が受信したカードを前記カード操作装置に送信するカード送信部を具備し、
前記送信装置は、
コンテンツを格納しているコンテンツ格納部と、
前記コンテンツを送信するコンテンツ送信部を具備し、
前記サーバ装置は、
前記情報出力装置から電子ペンで記載された情報を受信する第二ペン情報受信部と、
前記第二ペン情報受信部が受信した情報に基づいて、問題情報と解答情報を対に有するカードを構成するカード構成部と、
前記カード構成部が構成したカードを前記情報出力装置に送信する第二カード送信部を具備し、
前記カード操作装置は、
前記カードを受信する第二カード受信部と、
前記カード受信部が受信したカードを蓄積するカード蓄積部と、
カードの操作に関する指示である操作指示を受け付ける操作指示受付部と、
前記操作指示に基づいて、前記カード蓄積部が蓄積したカードの問題情報または／および解答情報を取得するカード操作部と、
前記カード操作部が取得したカードの問題情報または／および解答情報を出力するカード出力部を具備する情報処理システム。
【請求項５】
前記カード構成部は、
問題に関する情報である問題情報を少なくとも格納している情報格納手段と、
前記ペン情報受信部が受信した情報に基づいて、解答情報を構成する解答情報構成手段を具備する請求項１から請求項４いずれか記載の情報処理システム。
【請求項６】
前記カード操作部は、
前記操作指示に基づいて、カードの問題情報または解答情報のどちらか一方を取得する請求項１から請求項５いずれか記載の情報処理システム。
【請求項７】
請求項１から請求項６いずれか記載の情報処理システムを構成する媒体。
【請求項８】
請求項１から請求項６いずれか記載の情報処理システムを構成する情報出力装置。
【請求項９】
請求項２、請求項４から請求項６いずれか記載の情報処理システムを構成するカード操作装置。
【請求項１０】
請求項３から請求項６いずれか記載の情報処理システムを構成するサーバ装置。
【請求項１１】
コンテンツを受信するステップと、
前記コンテンツを出力するステップと、
問題を記載した領域である問題領域と解答を記載する領域である解答領域の対を１以上有する媒体に記載された情報を電子ペンから受信するステップと、
前記受信した情報に基づいて、問題情報と解答情報を対に有するカードを構成するステップと、
カードの操作に関する指示である操作指示を受け付けるステップと、
前記操作指示に基づいて、前記カードの問題情報または／および解答情報を出力するステップを具備する情報出力方法。
【請求項１２】
問題を記載した領域である問題領域と解答を記載する領域である解答領域の対を１以上有し、前記問題領域と前記解答領域に記載された内容に基づいてカードが構成され得る媒体。
【請求項１３】
コンピュータに、
コンテンツを受信するコンテンツ受信ステップと、
前記コンテンツを出力する情報出力ステップと、
電子ペンから情報を受信するペン情報受信ステップと、
前記ペン情報受信ステップで受信した情報に基づいて、問題情報と解答情報を対に有するカードを構成するカード構成ステップと、
カードの操作に関する指示である操作指示を受け付ける操作指示受付ステップと、
前記操作指示に基づいて、前記カード構成ステップで構成したカードの問題情報または／および解答情報を取得するカード操作ステップと、
前記カード操作ステップで取得したカードの問題情報または／および解答情報を出力するカード出力ステップを実行させるためのプログラム。
【請求項１４】
コンピュータに、
コンテンツを受信するコンテンツ受信ステップと、
前記コンテンツを出力する情報出力ステップと、
前記電子ペンから情報を受信するペン情報受信ステップと、
前記ペン情報受信ステップで受信した情報に基づいて、問題情報と解答情報を対に有するカードを構成するカード構成ステップと、
前記カード構成ステップで構成したカードを送信するカード送信ステップを実行させるためのプログラム。
【請求項１５】
コンピュータに、
電子ペンで記載された解答情報に基づいて構成されたカードを受け付けるカード受付ステップと、
前記カード受付ステップで受け付けたカードを蓄積するカード蓄積ステップと、
カードの操作に関する指示である操作指示を受け付ける操作指示受付ステップと、
前記操作指示に基づいて、前記カード蓄積ステップで蓄積したカードの問題情報または／および解答情報を取得するカード操作ステップと、
前記カード操作部が取得したカードの問題情報または／および解答情報を出力するカード出力ステップを実行させるためのプログラム。
【請求項１６】
コンピュータに、
コンテンツを受信するコンテンツ受信ステップと、
前記コンテンツを出力する情報出力ステップと、
前記電子ペンから情報を受信するペン情報受信ステップと、
前記ペン情報受信ステップで受信した情報をサーバ装置に送信するペン情報送信ステップと、
前記サーバ装置に送信した情報に基づいて構成された情報であり、問題情報と解答情報を対に有する情報であるカードを、前記サーバ装置から受信するカード受信ステップと、
前記カード受信ステップで受信したカードを蓄積するカード蓄積ステップと、
カードの操作に関する指示である操作指示を受け付ける操作指示受付ステップと、
前記操作指示に基づいて、前記カード蓄積ステップで蓄積したカードの問題情報または／および解答情報を取得するカード操作ステップと、
前記カード操作ステップで取得したカードの問題情報または／および解答情報を出力するカード出力ステップを実行させるためのプログラム。
【請求項１７】
コンピュータに、
送信装置からコンテンツを受信するコンテンツ受信ステップと、
前記コンテンツを出力する情報出力ステップと、
前記電子ペンから情報を受信するペン情報受信ステップと、
前記ペン情報受信ステップで受信した情報をサーバ装置に送信するペン情報送信ステップと、
前記サーバ装置に送信した情報に基づいて構成された情報であり、問題と解答を対に有する情報であるカードを、前記サーバ装置から受信するカード受信ステップと、
前記カード受信ステップで受信したカードを前記カード操作装置に送信するカード送信ステップを実行させるためのプログラム。
【請求項１８】
媒体と、電子ペンと、情報出力装置を具備する情報処理システムであって、
前記媒体は、
問題を記載した領域である問題領域と解答を記載する領域である解答領域の対を１以上有し、
前記電子ペンは、
前記媒体に記載された情報を取得する情報取得部と、
前記情報取得部が取得した情報を前記情報出力装置に送信する送信部を具備し、
前記情報出力装置は、
前記電子ペンから情報を受信するペン情報受信部と、
前記ペン情報受信部が受信した情報に基づいて、問題情報と解答情報を対に有するカードを構成するカード構成部と、
前記カード構成部が構成したカードの問題情報または／および解答情報を出力するカード出力部を具備する情報処理システム。
【請求項１９】
媒体と、電子ペンと、情報出力装置と、カード操作装置を具備する情報処理システムであって、
前記媒体は、
問題を記載した領域である問題領域と解答を記載する領域である解答領域の対を１以上有し、
前記電子ペンは、
前記媒体に記載された情報を取得する情報取得部と、
前記情報取得部が取得した情報を前記情報出力装置に送信する送信部を具備し、
前記情報出力装置は、
前記電子ペンから情報を受信するペン情報受信部と、
前記ペン情報受信部が受信した情報に基づいて、問題情報と解答情報を対に有するカードを構成するカード構成部と、
前記カード構成部が構成したカードを前記カード操作装置に送信するカード送信部を具備し、
前記カード操作装置は、
前記カードを受信するカード受信部と、
前記カード受信部が受信したカードを蓄積するカード蓄積部と、
カードの操作に関する指示である操作指示を受け付ける操作指示受付部と、
前記操作指示に基づいて、前記カード蓄積部が蓄積したカードの問題情報または／および解答情報を取得するカード操作部と、
前記カード操作部が取得したカードの問題情報または／および解答情報を出力するカード出力部を具備する情報処理システム。
【請求項２０】
電子ペンから情報を受信するペン情報受信部と、
前記ペン情報受信部が受信した情報に基づいて、問題情報と解答情報を対に有するカードを構成するカード構成部と、
前記カード構成部が構成したカードの問題情報または／および解答情報を出力するカード出力部を具備する情報出力装置。
【請求項２１】
コンピュータに、
電子ペンから情報を受信するペン情報受信ステップと、
前記ペン情報受信ステップで受信した情報に基づいて、問題情報と解答情報を対に有するカードを構成するカード構成ステップと、
前記カード構成ステップで構成したカードの問題情報または／および解答情報を出力するカード出力ステップを実行するためのプログラム。
【発明の詳細な説明】
【技術分野】
【０００１】
本発明は、電子ペンを利用して教育等を支援する情報処理システム等に関するものである。
【背景技術】
【０００２】
従来の第一の技術として、電子ペン（非特許文献１参照）を利用して、教育を支援するシステムとして、文字等の練習を行う情報処理システムがある。
【０００３】
本システムは、インクペンユニット、学習者が漢字練習用紙に漢字を記入した場合に当該漢字練習用紙から漢字を書いた際の書き順に関するストロークデータを取得するストロークデータ取得ユニット、及び取得されたストロークデータを無線通信により送信する送信ユニット、を少なくとも備える電子ペンと、前記電子ペンから送信されたストロークデータを受信する受信手段と、各漢字の正しい書き順に関する書き順データが記録されている書き順記録データベースと、前記電子ペンから受信したストロークデータと、前記書き順記録データベースに記録された書き順データを比較して、学習者の漢字の書き順が正しい書き順であるか否かを判定する判定手段と、を備えることを特徴とする漢字書き順学習システムである（特許文献１参照）。
また、従来の第二の技術として、教育番組を、片方向で放送するシステムがある。
【０００４】
さらに、小学生の計算カード、中高生の英単語カード、年号カード、高校生・大学生の京大カードなど、重要事項暗記のために、種々の暗記カード、情報整理カードが利用されている。これらのカードは、効率よい暗記トレーニングや知識の分類に役立つ。また、カードを自分で書いて作る課程で、要点が整理できて覚えられるという効果がある。一方、近年、製品としてあらかじめ暗記事項が印刷されたカードが市販されている。
【特許文献１】特開２００４−４５８４４（第１頁、第１図等）
【非特許文献１】アノト日本株式会社ホームページ、インターネット<ＵＲＬ：ｈｔｔｐ：／／ｗｗｗ．ａｎｏｔｏ．ｊｐ／ｔｓｕｉｔｅ．ｈｔｍｌ>
【発明の開示】
【発明が解決しようとする課題】
【０００５】
しかし、従来の第一の技術においては、漢字の書き順を正しく修得することを目的としており、動画（放送される番組を含む）と電子ペンを使用した教育システムについては、考慮されていなかった。
また、従来の第二の技術においても、同様に、動画（放送される番組を含む）と電子ペンを使用した教育システムについては、考慮されていなかった。
【課題を解決するための手段】
【０００６】
本第一の発明の情報処理システムは、媒体と、電子ペンと、情報出力装置と、送信装置を具備する情報処理システムであって、前記媒体は、問題を記載した領域である問題領域と解答を記載する領域である解答領域の対を１以上有し、前記電子ペンは、前記媒体に記載された情報を取得する情報取得部と、前記情報取得部が取得した情報を前記情報出力装置に送信する送信部を具備し、前記情報出力装置は、前記送信装置からコンテンツを受信するコンテンツ受信部と、前記コンテンツを出力する情報出力部と、前記電子ペンから情報を受信するペン情報受信部と、前記ペン情報受信部が受信した情報に基づいて、問題情報と解答情報を対に有するカードを構成するカード構成部と、カードの操作に関する指示である操作指示を受け付ける操作指示受付部と、前記操作指示に基づいて、前記カード構成部が構成したカードの問題情報または／および解答情報を取得するカード操作部と、前記カード操作部が取得したカードの問題情報または／および解答情報を出力するカード出力部を具備し、前記送信装置は、コンテンツを格納しているコンテンツ格納部と、前記コンテンツを送信するコンテンツ送信部を具備する情報処理システムである。
【０００７】
かかる構成により、電子ペンを用いた教育システムにおいて、コンテンツを視聴しながら記載した情報から、自動的に暗記のためのカードが構成できる。また、そのカードを使用して、ユーザは、種々の重要事項を暗記することができる。つまり、本情報処理システムは、ユーザの暗記を簡単に補助することができる。
【０００８】
また、本第二の発明の情報処理システムは、媒体と、電子ペンと、情報出力装置と、送信装置と、カード操作装置を具備する情報処理システムであって、前記媒体は、問題を記載した領域である問題領域と解答を記載する領域である解答領域の対を１以上有し、前記電子ペンは、前記媒体に記載された情報を取得する情報取得部と、前記情報取得部が取得した情報を前記情報出力装置に送信する送信部を具備し、前記情報出力装置は、前記送信装置からコンテンツを受信するコンテンツ受信部と、前記コンテンツを出力する情報出力部と、前記電子ペンから情報を受信するペン情報受信部と、前記ペン情報受信部が受信した情報に基づいて、問題情報と解答情報を対に有するカードを構成するカード構成部と、前記カード構成部が構成したカードを前記カード操作装置に送信するカード送信部を具備し、前記送信装置は、コンテンツを格納しているコンテンツ格納部と、前記コンテンツを送信するコンテンツ送信部を具備し、前記カード操作装置は、前記カードを受信するカード受信部と、前記カード受信部が受信したカードを蓄積するカード蓄積部と、カードの操作に関する指示である操作指示を受け付ける操作指示受付部と、前記操作指示に基づいて、前記カード蓄積部が蓄積したカードの問題情報または／および解答情報を取得するカード操作部と、前記カード操作部が取得したカードの問題情報または／および解答情報を出力するカード出力部を具備する情報処理システムである。
【０００９】
かかる構成により、電子ペンを用いた教育システムにおいて、コンテンツを視聴しながら記載した情報から、自動的に暗記のためのカードが構成される。そして、暗記するための装置であるカード操作装置を携帯でき、電車の中などの家庭以外の場所でも有効に学習時間が確保できる。
【００１０】
また、本第三の発明の情報処理システムは、媒体と、電子ペンと、情報出力装置と、送信装置と、サーバ装置を具備する情報処理システムであって、前記媒体は、問題を記載した領域である問題領域と解答を記載する領域である解答領域の対を１以上有し、前記電子ペンは、前記媒体に記載された情報を取得する情報取得部と、前記情報取得部が取得した情報を前記情報出力装置に送信する送信部を具備し、前記情報出力装置は、前記送信装置からコンテンツを受信するコンテンツ受信部と、前記コンテンツを出力する情報出力部と、前記電子ペンから情報を受信するペン情報受信部と、前記ペン情報受信部が受信した情報を前記サーバ装置に送信するペン情報送信部と、前記サーバ装置に送信した情報に基づいて構成された情報であり、問題情報と解答情報を対に有する情報であるカードを、前記サーバ装置から受信するカード受信部と、前記カード受信部が受信したカードを蓄積するカード蓄積部と、カードの操作に関する指示である操作指示を受け付ける操作指示受付部と、前記操作指示に基づいて、前記カード蓄積部が蓄積したカードの問題情報または／および解答情報を取得するカード操作部と、前記カード操作部が取得したカードの問題情報または／および解答情報を出力するカード出力部を具備し、前記送信装置は、コンテンツを格納しているコンテンツ格納部と、前記コンテンツを送信するコンテンツ送信部を具備し、前記サーバ装置は、前記情報出力装置から電子ペンで記載された情報を受信する第二ペン情報受信部と、前記第二ペン情報受信部が受信した情報に基づいて、問題情報と解答情報を対に有するカードを構成するカード構成部と、前記カード構成部が構成したカードを前記情報出力装置に送信するカード送信部を具備する情報処理システムである。
【００１１】
かかる構成により、電子ペンを用いた教育システムにおいて、コンテンツを視聴しながら記載した情報から、自動的に暗記のためのカードが構成される。また、サーバ装置を保有している業者は、カードを構成するサービスを独自に提供できる。
【００１２】
また、本第四の発明の情報処理システムは、媒体と、電子ペンと、情報出力装置と、送信装置と、サーバ装置と、カード操作装置を具備する情報処理システムであって、前記媒体は、問題を記載した領域である問題領域と解答を記載する領域である解答領域の対を１以上有し、前記電子ペンは、前記媒体に記載された情報を取得する情報取得部と、前記情報取得部が取得した情報を前記情報出力装置に送信する送信部を具備し、前記情報出力装置は、前記送信装置からコンテンツを受信するコンテンツ受信部と、前記コンテンツを出力する情報出力部と、前記電子ペンから情報を受信するペン情報受信部と、前記ペン情報受信部が受信した情報を前記サーバ装置に送信するペン情報送信部と、前記サーバ装置に送信した情報に基づいて構成された情報であり、問題情報と解答情報を対に有する情報であるカードを、前記サーバ装置から受信するカード受信部と、前記カード受信部が受信したカードを前記カード操作装置に送信するカード送信部を具備し、前記送信装置は、コンテンツを格納しているコンテンツ格納部と、前記コンテンツを送信するコンテンツ送信部を具備し、前記サーバ装置は、前記情報出力装置から電子ペンで記載された情報を受信する第二ペン情報受信部と、前記第二ペン情報受信部が受信した情報に基づいて、問題情報と解答情報を対に有するカードを構成するカード構成部と、前記カード構成部が構成したカードを前記情報出力装置に送信する第二カード送信部を具備し、前記カード操作装置は、前記カードを受信する第二カード受信部と、前記カード受信部が受信したカードを蓄積するカード蓄積部と、カードの操作に関する指示である操作指示を受け付ける操作指示受付部と、前記操作指示に基づいて、前記カード蓄積部が蓄積したカードの問題情報または／および解答情報を取得するカード操作部と、前記カード操作部が取得したカードの問題情報または／および解答情報を出力するカード出力部を具備する情報処理システムである。
【００１３】
かかる構成により、電子ペンを用いた教育システムにおいて、コンテンツを視聴しながら記載した情報から、自動的に暗記のためのカードが構成される。また、サーバ装置を保有している業者は、カードを構成するサービスを独自に提供できる。さらに、暗記するための装置であるカード操作装置を携帯でき、電車の中などの家庭以外の場所でも有効に学習時間が確保できる。
【発明の効果】
【００１４】
本発明による情報処理システムによれば、電子ペンを用いた教育システムにおいて、コンテンツを視聴しながら記載した情報から、自動的に暗記のためのカードが構成できる。
【発明を実施するための最良の形態】
【００１５】
以下、情報処理システム等の実施形態について図面を参照して説明する。なお、実施の形態において同じ符号を付した構成要素は同様の動作を行うので、再度の説明を省略する場合がある。
（実施の形態１）
【００１６】
図１は、本実施の形態における情報処理システムの概念図である。本情報処理システムは、媒体１１、電子ペン１２、情報出力装置１３、送信装置１４を具備する。本情報処理システムを利用するユーザは、通常、動画および音声を有する教育コンテンツを視聴し、電子ペン１２で媒体１１に、学習した事項を記載する。すると、自動的に英単語カードや、年号カードなど、重要事項の暗記のために利用される電子的なカードを得ることができる。
【００１７】
媒体１１は、例えば、特殊ドットパターンが印刷されている媒体である。また、媒体１１は、問題が記載されている領域である問題領域１１０１と、問題に対する解答を記載する領域である解答領域１１０２の対を１以上有する。かかる問題、解答は、情報出力装置１３が出力するコンテンツに関連する問題、解答である。また、媒体１１は、通常、紙で出来ているが、電子ペンで文字等を記述でき、特殊ドットパターンが印刷されていれば、プラスチック等、その材質は何でも良い。
電子ペン１２は、通信機能を有するペンである。電子ペン１２のユーザは、例えば、授業の受講者である。
情報出力装置１３は、ユーザがコンテンツを視聴するために用いるパーソナルコンピュータやテレビや携帯端末等である。
【００１８】
送信装置１４は、コンテンツを送信する装置である。コンテンツは、通常、教育のために使用する教育コンテンツである。送信装置１４は、通信手段により教育コンテンツを送信しても良いし、放送手段により教育コンテンツを送信しても良い。
【００１９】
図２は、本実施の形態における情報処理システムのブロック図である。情報処理システムは、媒体１１と、電子ペン１２と、情報出力装置１３と、送信装置１４を具備する。なお、図２のブロック図において、媒体１１は省略している。
電子ペン１２は、情報取得部１２０１、送信部１２０２を具備する。
【００２０】
情報出力装置１３は、コンテンツ受信部１３０１、情報出力部１３０２、ペン情報受信部１３０３、カード構成部１３０４、操作指示受付部１３０５、カード操作部１３０６、カード出力部１３０７を具備する。カード構成部１３０４は、情報格納手段１３０４１、解答情報構成手段１３０４２を具備する。
送信装置１４は、コンテンツ格納部１４０１、コンテンツ送信部１４０２を具備する。
【００２１】
情報取得部１２０１は、電子ペン１２で媒体１１に記載された情報を取得する。当該情報は、例えば、媒体１１の中の相対的な位置を特定する情報である座標情報を１以上有する。情報取得部１２０１が座標情報を取得する方法について説明する。座標情報を取得する方法として、例えば、以下の方法がある。媒体１１に図３に示す特殊ドットパターンが印刷されている場合に、情報取得部１２０１は、特殊ドットパターンによる座標検出技術で実現され得る。具体的には、例えば、図３のような構成になる。図３の構成は、ＣＣＤカメラ３０１、パターン認識と解析を行うプロセッサ３０２で構成される。特殊ドットパターンは、０．３ｍｍピッチのグリッドに沿ってドットを示し、そのドットの配置をＲｉｇｈｔ／Ｌｅｆｔ／Ｕｐ／Ｄｏｗｎの４パターンで振り分けることでコード化を図る。そして、ＣＣＤカメラより、特殊ドットパターンを６０フレーム／秒で撮影し、入力する。そして、撮影した画像情報を解析することにより、入力装置であるＣＣＤカメラの移動（すなわち撮影されるドットパターンの変化）を検出することができる。ＣＣＤカメラの移動を検出することにより、静的物体中の相対的な座標情報を取得できる。なお、情報取得部１２０１の別の手段として、以下のものが考えられる。媒体１１の表面に、座標情報を示すバーコードが印刷されており、情報取得部１２０１は、当該バーコードを読み込み、座標情報を得るバーコードリーダーで実現される。
【００２２】
送信部１２０２は、情報取得部１２０１が取得した情報を情報出力装置１３に送信する。なお、情報取得部１２０１が取得した情報と送信部１２０２が送信する情報は、一致しなくても良い。送信部１２０２は、情報取得部１２０１が取得した情報に基づいて加工された情報を送信しても良い。かかる場合も、送信部１２０２は、情報取得部１２０１が取得した情報を情報出力装置１３に送信する、ということとする。さらに、送信部１２０２は、予め格納されている受講者ＩＤ（受講者を識別する情報であり、かつ電子ペン１２を特定する情報である。）を付加して、情報を情報出力装置１３に送信する。送信部１２０２は、通常、ブルートゥース（登録商標）などの近距離無線通信手段で実現されるが、他の無線手段や有線の通信手段や放送手段でも実現可能である。
【００２３】
コンテンツ受信部１３０１は、送信装置１４からコンテンツを受信する。コンテンツは、通常、動画と音声を含むが、静止画等の情報でも良い。コンテンツは、通常、何らかの教育のために使用される教育コンテンツである。コンテンツ受信部１３０１は、放送手段、または、無線や有線の通信手段等で実現される。
【００２４】
情報出力部１３０２は、コンテンツ受信部１３０１が受信したコンテンツを出力する。ここで、出力とは、通常、ディスプレイへの表示、音出力であるが、プリンタへの印字、外部の装置への送信、記録媒体への蓄積等を含む概念である。情報出力部１３０２は、ディスプレイやスピーカー等の出力デバイスを含むと考えても含まないと考えても良い。情報出力部１３０２は、出力デバイスのドライバーソフトまたは、出力デバイスのドライバーソフトと出力デバイス等で実現され得る。
【００２５】
ペン情報受信部１３０３は、電子ペン１２から情報を受信する。かかる情報は、例えば、電子ペンの媒体１１上を移動した軌跡の情報である。軌跡の情報は、座標情報の集合である。ペン情報受信部１３０３は、通常、ブルートゥース（登録商標）などの近距離無線通信手段で実現されるが、他の無線手段や有線の通信手段や放送を受信する手段でも実現可能である。
【００２６】
カード構成部１３０４は、ペン情報受信部１３０３が受信した情報に基づいて、問題情報と解答情報を対に有するカードを構成する。ここでのカードとは、電子的なカードである。電子的なカードは、問題情報と解答情報を対に有する。また、電子的なコードを印刷したかカードとして、以下のカードがある。つまり、カードは、小学生の計算カード、中高生の英単語カード、年号カード、高校生・大学生の京大カードなど、重要事項暗記のための種々の暗記カード、情報整理カード等を含む。かかる印刷したカードは、通常、表面に問題情報、裏面に解答情報が記載されているカードである。カード構成部１３０４は、印刷されたカードの電子版と言える電子的なカードを構成する。なお、カード構成部１３０４は、構成したカードを保持している、とする。カード構成部１３０４は、通常、ＭＰＵやメモリ等から実現され得る。カード構成部１３０４の処理手順は、通常、ソフトウェアで実現され、当該ソフトウェアはＲＯＭ等の記録媒体に記録されている。但し、ハードウェア（専用回路）で実現しても良い。
【００２７】
操作指示受付部１３０５は、カードの操作に関する指示である操作指示を受け付ける。操作とは、問題表示、解答表示、カード切り替えなどの操作である。今、問題が表示されている場合に、操作指示受付部１３０５は、例えば、「次」という指示を受け付けた場合は、その問題に対応する解答が表示され、さらに、「次」という指示を受け付けた場合は、次の問題が表示される。操作指示の入力手段は、テンキーやキーボードやマウスやメニュー画面によるもの等、何でも良い。操作指示受付部１３０５は、テンキーやキーボード等の入力手段のデバイスドライバーや、メニュー画面の制御ソフトウェア等で実現され得る。
カード操作部１３０６は、操作指示受付部１３０５が受け付けた操作指示に基づいて、カード構成部１３０４が構成したカードの問題情報または／および解答情報を取得する。
カード操作部１３０６は、操作指示受付部１３０５が受け付けた操作指示に基づいて、カードの問題情報または解答情報のどちらか一方を取得することが好適である。暗記に役立つからである。カード操作部１３０６は、通常、ＭＰＵやメモリ等から実現され得る。カード操作部１３０６の処理手順は、通常、ソフトウェアで実現され、当該ソフトウェアはＲＯＭ等の記録媒体に記録されている。但し、ハードウェア（専用回路）で実現しても良い。
【００２８】
カード出力部１３０７は、カード操作部１３０６が取得したカードの問題情報または／および解答情報を出力する。ここでの、出力とは、通常ディスプレイへの表示であるが、プリンタへの印字、音出力、外部の装置への送信、記録媒体への蓄積等を含む概念である。カード出力部１３０７は、ディスプレイやスピーカー等の出力デバイスを含むと考えても含まないと考えても良い。カード出力部１３０７は、出力デバイスのドライバーソフトまたは、出力デバイスのドライバーソフトと出力デバイス等で実現され得る。
【００２９】
情報格納手段１３０４１は、問題に関する情報である問題情報を少なくとも格納している。情報格納手段１３０４１は、問題情報に加えて、解答情報の一部（ユーザに記載させない部分）を保持していても良い。情報格納手段１３０４１は、ハードディスクやＲＯＭ等の不揮発性の記録媒体が好適であるが、ＲＡＭ等の揮発性の記録媒体でも実現可能である。
【００３０】
解答情報構成手段１３０４２は、ペン情報受信部１３０３が受信した情報に基づいて、解答情報を構成する。解答情報は、電子ペン１２を使用してユーザが記載した情報に基づいて構成される。解答情報構成手段１３０４２は、ユーザが記載した情報だけから解答情報を構成しても良いし、予め格納されている解答情報のひな型とユーザが記載した情報を用いて解答情報を構成しても良い。その他、解答情報の構成方法は問わない。解答情報構成手段１３０４２は、通常、ＭＰＵやメモリ等から実現され得る。解答情報構成手段１３０４２の処理手順は、通常、ソフトウェアで実現され、当該ソフトウェアはＲＯＭ等の記録媒体に記録されている。但し、ハードウェア（専用回路）で実現しても良い。
【００３１】
コンテンツ格納部１４０１は、コンテンツを格納している。ここでのコンテンツは、通常、教育に利用する教育コンテンツである。コンテンツ格納部１４０１は、ハードディスク等の不揮発性の記録媒体が好適であるが、揮発性の記録媒体でも実現可能である。
【００３２】
コンテンツ送信部１４０２は、コンテンツ格納部１４０１に格納されているコンテンツを送信する。コンテンツを送信するタイミングは、ユーザ指示でも良いし、予め決められているスケジュール（番組表によるスケジュール）に従ったものでも良い。コンテンツの送信は、通常、マルチキャストであるが、オンデマンド等でも良い。また、コンテンツの送信は、放送（地上波アナログ放送、地上波デジタル放送、衛星放送、ＣＡＴＶなどの放送を含む。）や、インターネット等の通信網を使用した配信、その他の専用回線を利用した配信等、何でも良い。つまり、その送信手段は問わない。コンテンツ送信部１４０２は、無線または有線の通信手段や、放送手段で実現され得る。
以下、本情報処理システムの動作について説明する。まず、電子ペン１２の動作について説明する。
【００３３】
電子ペン１２において、情報取得部１２０１が座標情報を次々と取得し、送信部１２０２は、情報取得部１２０１が取得した情報を情報出力装置１３に送信する。情報取得部１２０１が取得する座標情報は、電子ペン１２が媒体１１上を移動した軌跡を示す情報である。また、情報取得部１２０１は、取得した複数の座標情報を蓄えておき、送信部１２０２は、蓄えられた複数の座標情報を一度に情報出力装置１３に送信しても良い。
次に、情報出力装置１３の動作について、図４、図５のフローチャートを用いて説明する。
【００３４】
（ステップＳ４０１）コンテンツ受信部１３０１は、送信装置１４からコンテンツを受信したか否かを判断する。コンテンツを受信すればステップＳ４０２に行き、コンテンツを受信しなければステップＳ４０３に飛ぶ。
（ステップＳ４０２）情報出力部１３０２は、ステップＳ４０１で受信したコンテンツを出力する。ステップＳ４０１に戻る。
【００３５】
（ステップＳ４０３）ペン情報受信部１３０３は、電子ペン１２から情報を受信したか否かを判断する。電子ペン１２から情報を受信すればステップＳ４０４に行き、電子ペン１２から情報を受信しなければステップＳ４０１に戻る。
【００３６】
（ステップＳ４０４）カード構成部１３０４は、ステップＳ４０３で受信した情報を蓄積する。なお、この情報は、例えば、１以上の座標情報である。１以上の座標情報を、適宜、座標情報群という。ステップＳ４０１に戻る。
【００３７】
（ステップＳ４０５）カード構成部１３０４は、カードを構成するタイミングであるか否かを判断する。カード構成部１３０４は、ユーザの指示に基づいてカードを構成しても良いし、コンテンツの出力が完了した後にカードを構成しても良い。その他、カード構成部１３０４がカードを構成するタイミングは問わない。
【００３８】
（ステップＳ４０６）カード構成部１３０４は、ステップＳ４０４で蓄積した情報に基づいて、問題情報と解答情報を対に有するカードを構成する。カードを構成するアルゴリズムの例については、図５のフローチャートを用いて説明する。ステップＳ４０１に戻る。
【００３９】
（ステップＳ４０７）操作指示受付部１３０５は、カードの操作に関する指示である操作指示を受け付けたか否かを判断する。操作指示を受け付ければステップＳ４０８に行き、操作指示を受け付けなければステップＳ４０１に戻る。
【００４０】
（ステップＳ４０８）カード操作部１３０６は、現在出力中のカードＩＤを取得する。現在出力中のカードをカレントのカードという。また、現在、カードの問題情報も解答情報も出力していない場合は、カード操作部１３０６は、カレントのカードＩＤとして０を取得する。
（ステップＳ４０９）カード操作部１３０６は、現在、問題情報を出力中であるか否かを判断する。問題情報を出力中であればステップＳ４１０に行き、問題情報を出力中でなければステップＳ４１２に飛ぶ。
（ステップＳ４１０）カード操作部１３０６は、カレントのカードＩＤの解答情報を取得する。
（ステップＳ４１１）カード出力部１３０７は、ステップＳ４１０で取得した解答情報を出力する。
（ステップＳ４１２）カード操作部１３０６は、次のカードが存在するか否かを判断する。次のカードが存在すればステップＳ４１３に行き、次のカードが存在しなければステップＳ４１６に飛ぶ。
（ステップＳ４１３）カード操作部１３０６は、カレントのカードＩＤを１、進める。
（ステップＳ４１４）カード操作部１３０６は、カレントのカードＩＤの問題情報を取得する。
（ステップＳ４１５）カード出力部１３０７は、ステップＳ４１４で取得した問題情報を出力する。ステップＳ４０１に戻る。
（ステップＳ４１６）カード操作部１３０６は、カレントのカードＩＤを１とする。ステップＳ４１４に行く。
なお、図４のフローチャートにおいて、電源オフや処理終了の割り込みにより処理は終了する。また、図４のフローチャートにおけるカードの操作方法は一例であり、他の操作方法でも良いことは言うまでもない、
次に、カードを構成するアルゴリズムの例について、図５のフローチャートを用いて説明する。
（ステップＳ５０１）解答情報構成手段１３０４２は、カウンタｉに１を代入する。
【００４１】
（ステップＳ５０２）解答情報構成手段１３０４２は、蓄積した座標情報群の中で、ｉ番目の一まとまりの座標情報群を取得する。一まとまりの座標情報群は、例えば、所定の範囲のｙ座標値を有する座標情報の集合である。
【００４２】
（ステップＳ５０３）解答情報構成手段１３０４２は、ステップＳ５０２で取得した座標情報群に基づいて、解答が対応する問題の識別子（問題ＩＤ）を取得する。なお、情報格納手段１３０４１は、例えば、問題ＩＤ，問題情報、およびその解答が記載されるべき領域を示す座標情報を有する。問題ＩＤの取得方法の具体例については、後述する。
【００４３】
（ステップＳ５０４）解答情報構成手段１３０４２は、ステップＳ５０２で取得した座標情報群に基づいてビットマップを構成する。座標情報群からビットマップを構成する技術は公知技術である。また、情報格納手段１３０４１が解答情報の一部も保持している場合、解答情報構成手段１３０４２は、当該解答情報の一部に、上記座標情報群から得たビットマップを重ね合わせたビットマップを構成する。かかる場合、ユーザは、電子ペン１２を用いて、穴埋めで解答したような場合である。
（ステップＳ５０５）解答情報構成手段１３０４２は、ステップＳ５０３で取得した問題ＩＤに対応する解答情報として、ステップＳ５０４で構成したビットマップを蓄積する。
（ステップＳ５０６）解答情報構成手段１３０４２は、カウンタｉを１、インクリメントする。
【００４４】
（ステップＳ５０７）解答情報構成手段１３０４２は、ｉ番目の一まとまりの座標情報群が存在するか否かを判断する。ｉ番目の一まとまりの座標情報群が存在すればステップＳ５０２に行き、ｉ番目の一まとまりの座標情報群が存在しなければ上位関数にリターンする。
【００４５】
次に、送信装置１４の動作について説明する。送信装置１４のコンテンツ送信部１４０２は、コンテンツを送信するタイミングになった場合に、コンテンツ格納部１４０１からコンテンツを取得し、配信する。コンテンツ送信部１４０２は、例えば、ストリームを配信する。
【００４６】
以下、本実施の形態における情報処理システムの具体的な動作について説明する。情報処理システムの概念図は図１である。ここで、送信装置１４から配信されるコンテンツは、日本史に関する教育コンテンツである。
【００４７】
また、図６は、媒体１１の例である。本媒体１１は、問題領域１１０１と解答領域１１０２を対に有する。また、ユーザは、日本史に関する教育コンテンツを視聴しながら、媒体１１の解答欄を、電子ペン１２を使用して埋めていく。
【００４８】
図７は、情報格納手段１３０４１が保持しているカード管理表である。カード管理表は、「ＩＤ」「問題情報」「解答情報」「座標情報」を有するレコードを１以上保持している。「ＩＤ」は、レコードを識別する情報であり、表におけるレコード管理のために存在する。また、「ＩＤ」は、上記の問題ＩＤと一致する。「問題情報」は、問題を示す情報である。「解答情報」は、ユーザが電子ペンで記載した解答情報を格納する属性である。解答情報は、ビットマップまたは、座標情報群が好適である。表示された際に、ユーザ自身の執筆の手書きである方が暗記しやすいからである。なお、ここでは、解答情報は、ビットマップである。「座標情報」は、解答情報を記載する領域を示す情報である。解答情報を記載する領域が矩形であり、「座標情報」は、ここでは、当該矩形領域の左上座標（ｘ１，ｙ１）、右下座標（ｘ２，ｙ２）を有する。ユーザが電子ペン１２で記載した解答がどの問題ＩＤに対応する解答であるかを、カード構成部１３０４は「座標情報」を利用して取得する。具体的には、カード構成部１３０４は、例えば、電子ペン１２から受信した座標情報群の所定の座標値が左上座標（ｘ１，ｙ１）、右下座標（ｘ２，ｙ２）で示される矩形領域に含まれる場合に、当該「座標情報」に対応する問題ＩＤを、ユーザが電子ペン１２で記載した解答情報と対応づける。
【００４９】
以上の状況において、ユーザは、日本史に関する教育コンテンツを視聴する、とする。そして、ユーザは、日本史に関する教育コンテンツを視聴しながら、ノート（媒体１１）の解答を電子ペン１２で埋めていく（図８参照）。すると、電子ペン１２は、電子ペンの軌跡を示す座標情報群を取得し、蓄積する。
【００５０】
そして、ユーザは、例えば、電子ペン１２の所定のボタンを押下する、とする。すると、電子ペン１２で蓄積された座標情報群と、図示しない手段により電子ペン１２が保持している電子ペン識別子から、電子ペン１２は送信する情報を構成する。電子ペン１２が送信する情報の構造例を図９に示す。なお、電子ペン識別子は、電子ペンを識別する情報であるとともに、ユーザ（受講者）を識別する情報である。次に、電子ペン１２は、図９の情報を情報出力装置１３に送信する。
【００５１】
そして、ユーザは、日本史に関する教育コンテンツの視聴を完了して、ノートの全ての解答欄を電子ペン１２で埋めた、とする。そして、ユーザが記載した情報が電子ペン１２から情報出力装置１３に送信された、とする。
【００５２】
そして、情報出力装置１３の解答情報構成手段１３０４２は、情報出力装置１３が受信した座標情報群に基づいて、図１０に示す解答情報を構成し、問題ＩＤと対になる解答情報の欄に蓄積する。図１０に示す解答情報は、ビットマップである。なお、解答情報構成手段１３０４２が、受信した座標情報群が示す解答情報が、どの問題ＩＤに対応する解答情報であるかは、カード管理表の属性値「座標情報」が示す矩形領域に、受信した座標情報群が示す座標値が含まれるか否かにより判断する。かかる処理は、上述した通りである。
【００５３】
次に、ユーザは、日本史に関する教育コンテンツの視聴により学習したことを覚えようとする。そして、ユーザは、例えば、リモコンの「次」ボタン（例えば、右矢印ボタン）を押下する、とする。すると、情報出力装置１３の操作指示受付部１３０５は、カードを表示する指示（操作指示の一種）を受け付ける。そして、カード操作部１３０６は、カードＩＤ「１」の問題情報を、図１０のカード管理表から取得する。そして、カード出力部１３０７は、図１０のカード管理表の「ＩＤ＝１」の問題情報を出力する（図１１参照）。
【００５４】
次に、ユーザは、さらに、リモコンの「次」ボタンを押下する、とする。そして、操作指示受付部１３０５は、その操作指示を受け付ける。そして、カード操作部１３０６は、カードＩＤ「１」の解答情報を、図１０のカード管理表から取得する。そして、カード出力部１３０７は、図１０のカード管理表の「ＩＤ＝１」の解答情報を出力する（図１２参照）。
【００５５】
同様に、ユーザは、さらに、リモコンの「次」ボタンを押下する、とする。すると、カード操作部１３０６は、カードＩＤ「２」の問題情報を、図１０のカード管理表から取得する。そして、カード出力部１３０７は、図１０のカード管理表の「ＩＤ＝２」の問題情報を出力する。
このように、ユーザは、日本史に関する教育コンテンツの視聴により学習したことを覚えたかどうか、電子的なカードの操作により、確認できる。
【００５６】
以上、本実施の形態によれば、電子ペンを用いた教育システムにおいて、コンテンツを視聴しながら記載した情報から、自動的に暗記のためのカードが構成される。また、そのカードを使用して、ユーザは、種々の重要事項を暗記することができる。つまり、本情報処理システムは、ユーザの暗記を簡単に補助することができる。さらに、出力するカードの解答情報がユーザ自身の手書き文字であることにより、ユーザは学習した事項を覚え易い。
【００５７】
なお、本実施の形態によれば、ユーザは、問題に対する解答の情報である解答情報を、電子ペン１２で記載したが、解答情報の穴を埋める形式でも良い。つまり、かかる場合の媒体１１の例は、図１３である。かかる場合、カード管理表の例は、図１４である。ユーザは、コンテンツを視聴しながら、図１３の媒体１１の（）内を、電子ペン１２で埋める。そして、情報出力装置１３は、ユーザが記載し、受信した座標情報群に基づいて、「ユーザ解答」の属性値を蓄積していく。そして、情報出力装置１３のカード構成部は、予め格納されている解答ひな型とユーザ解答を合成して解答情報を構成する。そして、情報出力装置１３のカード出力部は、当該カードを出力する。かかることは、他の実施の形態においても同様である。なお、「ユーザ解答」の属性値は、図１０における「解答情報」と同様に、ビットマップか座標情報群等が望ましい。文字コードに変換すると、表示の際に、ユーザの手書きのイメージが出力されないからである。
【００５８】
また、本実施の形態において、情報出力装置１３は、複数の装置に分離されていても良い。つまり、複数の装置は、例えば、２つであり、当該２つの装置は、コンテンツを受信して出力する装置と、電子ペン１２から情報を受信して、カードを構成し、カードによる学習を支援する装置である。
【００５９】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことも、本明細書における他の実施の形態においても該当する。なお、本実施の形態における情報出力装置を実現するソフトウェアは、以下のようなプログラムである。つまり、このプログラムは、コンピュータに、送信装置からコンテンツを受信するコンテンツ受信ステップと、
前記コンテンツを出力する情報出力ステップと、前記電子ペンから情報を受信するペン情報受信ステップと、前記ペン情報受信ステップで受信した情報に基づいて、問題情報と解答情報を対に有するカードを構成するカード構成ステップと、カードの操作に関する指示である操作指示を受け付ける操作指示受付ステップと、前記操作指示に基づいて、前記カード構成ステップで構成したカードの問題情報または／および解答情報を取得するカード操作ステップと、前記カード操作ステップで取得したカードの問題情報または／および解答情報を出力するカード出力ステップを実行させるためのプログラム、である。
（実施の形態２）
【００６０】
本実施の形態において、教育コンテンツを視聴するための情報出力装置と、電子的カードを操作して、暗記する装置が別である態様について説明する。暗記する装置は、カード操作装置であり、例えば、携帯端末である。例えば、学生は、携帯端末に、電子的なカードを記録し、電車の中で、カードに記載されている重要事項を暗記する。
【００６１】
図１５は、本実施の形態における情報処理システムの概念図である。本情報処理システムは、媒体１１、電子ペン１２、情報出力装置１５３、送信装置１４、カード操作装置１５５を具備する。カード操作装置１５５は、携帯端末（携帯電話を含む）や、いわゆるパーソナルコンピュータなどである。
情報出力装置１５３は、ユーザがコンテンツを視聴するために用いるパーソナルコンピュータやテレビや携帯端末等である。
【００６２】
図１６は、本実施の形態における情報処理システムのブロック図である。情報処理システムは、媒体１１と、電子ペン１２と、情報出力装置１５３と、送信装置１４と、カード操作装置１５５を具備する。なお、図１６のブロック図において、媒体１１は省略している。
情報出力装置１５３は、コンテンツ受信部１３０１、情報出力部１３０２、ペン情報受信部１３０３、カード構成部１３０４、カード送信部１５３０１を具備する。
カード操作装置１５５は、カード受信部１５５０１、カード蓄積部１５５０２、操作指示受付部１３０５、カード操作部１３０６、カード出力部１３０７を具備する。
【００６３】
カード送信部１５３０１は、カード構成部１３０４が構成したカードをカード操作装置１５５に送信する。かかるカードは、上述した電子的なカードの情報である。カード送信部１５３０１は、ユーザ指示により、カードを送信しても良いし、カード構成部１３０４がカードを構成した場合に、自動的にカードを送信しても良い。つまり、カード送信部１５３０１がカードを送信するタイミングは問わない。カード送信部１５３０１は、通常、無線または有線の通信手段で実現されるが、放送手段で実現されても良い。
カード受信部１５５０１は、情報出力装置１５３からカードを受信する。カード受信部１５５０１は、通常、無線または有線の通信手段で実現されるが、放送を受信する手段で実現されても良い。
【００６４】
カード蓄積部１５５０２は、カード受信部１５５０１が受信したカードを蓄積する。かかるカードの蓄積は、ハードディスクやＲＯＭ等の不揮発性の記録媒体が好適であるが、ＲＡＭ等の揮発性の記録媒体でも実現可能である。カード蓄積部１５５０２は、通常、ＭＰＵや記録媒等から実現され得る。カード蓄積部１５５０２の処理手順は、通常、ソフトウェアで実現され、当該ソフトウェアはＲＯＭ等の記録媒体に記録されている。但し、ハードウェア（専用回路）で実現しても良い。なお、カード操作部１３０６は、カード蓄積部１５５０２が蓄積したカードの問題情報または／および解答情報を取得する。
以下、本情報処理システムの動作について説明する。電子ペン１２、送信装置１４の動作については説明済みである。
次に、情報出力装置１５３の動作について、図１７のフローチャートを用いて説明する。なお、図１７のフローチャートにおいて、図４と異なるステップについてのみ説明する。
【００６５】
（ステップＳ１７０１）カード送信部１５３０１は、カードを送信するタイミングであるか否かを判断する。カードを送信するタイミングであればステップＳ１７０２に行き、カードを送信するタイミングでなければステップＳ４０１に戻る。なお、例えば、カードを送信するタイミングであり、カードの情報が存在しなければ、エラーを出力して、終了する。
（ステップＳ１７０２）カード送信部１５３０１は、カード構成部１３０４が構成して蓄積しているカードを取得する。なお、カードは、問題情報と解答情報を有する。
【００６６】
（ステップＳ１７０３）カード送信部１５３０１は、ステップＳ１７０２で取得したカードをカード操作装置１５５に送信する。カード送信部１５３０１は、予めカード操作装置１５５を特定するカード操作装置１５５のアドレスを保持していても良いし、ユーザがカード操作装置１５５のアドレスを送信指示とともに入力しても良い。ステップＳ４０１に戻る。
なお、図１７のフローチャートにおいて、電源オフや処理終了の割り込みにより処理は終了する。
次に、カード操作装置１５５の動作について、図１８のフローチャートを用いて説明する。なお、図１８のフローチャートにおいて、図４と異なるステップについてのみ説明する。
（ステップＳ１８０１）カード受信部１５５０１は、情報出力装置１５３からカードを受信したか否かを判断する。カードを受信すればステップＳ１８０２に行き、カードを受信しなければステップＳ４０７に行く。
（ステップＳ１８０２）カード蓄積部１５５０２は、ステップＳ１８０１で受信したカードを蓄積する。ステップＳ１８０１に戻る。
なお、図１８のフローチャートにおいて、電源オフや処理終了の割り込みにより処理は終了する。
【００６７】
以下、本実施の形態における情報処理システムの具体的な動作について説明する。情報処理システムの概念図は図１５である。ここで、送信装置１４から配信されるコンテンツは、日本史に関する教育コンテンツである。また、図６は、媒体１１の例である。図７は、情報格納手段１３０４１が保持しているカード管理表である。また、カード操作装置１５３は、ここでは、携帯端末である。
【００６８】
かかる場合、ユーザは、日本史に関する教育コンテンツを視聴する、とする。そして、ユーザは、日本史に関する教育コンテンツを視聴しながら、ノート（媒体１１）の解答を電子ペン１２で埋めていく（図８参照）。そして、実施の形態１で説明したように、情報出力装置１５３は、図１０に示す解答情報を構成し、蓄積する。この処理により、情報出力装置１５３のカードの構成の処理は完了する。
【００６９】
そして、例えば、ユーザ指示により、情報出力装置１５３は、図１０に示すカードの情報（問題情報と解答情報の対だけでも良い）をカード操作装置１５３に送信する。そして、カード操作装置１５３は、カードの情報を受信し、蓄積する。図１９は、カード操作装置１５３に、蓄積されたカードの情報例である。
【００７０】
次に、ユーザは、カードが蓄積されたカード操作装置１５３を持って、電車に乗る、とする。そして、ユーザは、所定のボタン（例えば、「電源」ボタン）を押下して、カードの暗記を開始する、とする。つまり、カード操作装置１５３は、所定のボタンの押下を受け付け、最初のカードの問題情報を図１９の表から取得し、出力する（図２０（ａ）参照）。次に、ユーザは、所定のボタン（例えば、「右矢印」ボタン）を押下する、とする。すると、カード操作装置１５３は、「右矢印」ボタンの押下を受け付け、表示されている問題情報に対応する解答情報を図１９の表から取得し、出力する（図２０（ｂ）参照）。さらに、ユーザは、所定のボタン（例えば、「右矢印」ボタン）を押下する、とする。すると、カード操作装置１５３は、「右矢印」ボタンの押下を受け付け、次の問題情報を図１９の表から取得し、出力する（図２０（ｃ）参照）。
【００７１】
ユーザは、以上の操作を繰り返しながら、カードの事項を記憶する。なお、カード操作装置１５３は、解答情報を出力する場合に、図２１に示すように問題情報と解答情報を表示しても良い。その場合、問題情報と解答情報の背景の色やフォントを変えるなど、ユーザにとって問題情報と解答情報を視覚的に区別できる態様で表示することは好適である。また、問題情報と比較して、解答情報を目立つ態様で表示することも好適である。
【００７２】
以上、本実施の形態によれば、電子ペンを用いた教育システムにおいて、コンテンツを視聴しながら記載した情報から、自動的に暗記のためのカードが構成される。また、そのカードを使用して、ユーザは、種々の重要事項を暗記することができる。つまり、本情報処理システムは、ユーザの暗記を簡単に補助することができる。さらに、本実施の形態によれば、暗記するための装置であるカード操作装置を携帯でき、電車の中などの家庭以外の場所でも有効に学習時間が確保できる。
【００７３】
なお、本実施の形態において、情報出力装置１５３は、複数の装置に分離されていても良い。つまり、例えば、複数の装置は２つであり、当該２つの装置は、コンテンツを受信して出力する装置と、電子ペン１２から情報を受信して、カードを構成し、カードを送信する装置である。
【００７４】
さらに、本実施の形態における情報処理装置を実現するソフトウェアは、以下のようなプログラムである。つまり、このプログラムは、コンピュータに、送信装置からコンテンツを受信するコンテンツ受信ステップと、前記コンテンツを出力する情報出力ステップと、前記電子ペンから情報を受信するペン情報受信ステップと、前記ペン情報受信ステップで受信した情報に基づいて、問題情報と解答情報を対に有するカードを構成するカード構成ステップと、前記カード構成ステップで構成したカードをカード操作装置に送信するカード送信ステップを実行させるためのプログラム、である。
【００７５】
また、カード操作装置を実現するソフトウェアは、以下のようなプログラムである。つまり、このプログラムは、コンピュータに、カードを受信するカード受信ステップと、前記カード受信ステップで受信したカードを蓄積するカード蓄積ステップと、カードの操作に関する指示である操作指示を受け付ける操作指示受付ステップと、前記操作指示に基づいて、前記カード蓄積ステップで蓄積したカードの問題情報または／および解答情報を取得するカード操作ステップと、前記カード操作部が取得したカードの問題情報または／および解答情報を出力するカード出力ステップを実行させるためのプログラム、である。
【００７６】
さらに、上記カード操作装置を実現するソフトウェアにおいて、カードは、必ずしも受信する必要はない。つまり、電子ペンで記載された解答情報に基づいて構成されたカードを、記録媒体に蓄積し、当該蓄積したカードを読み出して、利用しても良い。かかる場合のプログラムは、コンピュータに、電子ペンで記載された解答情報に基づいて構成されたカードを受け付けるカード受付ステップと、前記カード受付ステップで受け付けたカードを蓄積するカード蓄積ステップと、カードの操作に関する指示である操作指示を受け付ける操作指示受付ステップと、前記操作指示に基づいて、前記カード蓄積ステップで蓄積したカードの問題情報または／および解答情報を取得するカード操作ステップと、前記カード操作部が取得したカードの問題情報または／および解答情報を出力するカード出力ステップを実行させるためのプログラム、である。ここでのカード受付ステップは、上述したカードの受信も含む。
（実施の形態３）
本実施の形態において、実施の形態１におけるカードを構成する処理を情報出力装置とは別のサーバ装置が行なう態様について説明する。
【００７７】
図２２は、本実施の形態における情報処理システムの概念図である。本情報処理システムは、媒体１１、電子ペン１２、情報出力装置２２３、送信装置１４、サーバ装置２２５を具備する。なお、サーバ装置２２５は、例えば、カードを作成し、学習するユーザに送信するサービスを行なうＡＳＰのサーバ装置である。
図２３は、本実施の形態における情報処理システムのブロック図である。
【００７８】
情報出力装置２２３は、コンテンツ受信部１３０１、情報出力部１３０２、ペン情報受信部１３０３、ペン情報送信部２２３０１、カード受信部１５５０１、カード蓄積部１５５０２、操作指示受付部１３０５、カード操作部１３０６、カード出力部１３０７を具備する。
サーバ装置２２５は、第二ペン情報受信部２２５０１、カード構成部１３０４、カード送信部１５３０１を具備する。
【００７９】
ペン情報送信部２２３０１は、ペン情報受信部１３０３が受信した情報をサーバ装置２２５に送信する。ペン情報送信部２２３０１は、例えば、予めサーバ装置２２５のアドレスを保持している。ペン情報送信部２２３０１が情報を送信するタイミングは問わない。ペン情報送信部２２３０１は、ユーザ指示に応じて、情報を送信しても良いし、ペン情報受信部１３０３が情報を受信した場合に、常に、情報を送信しても良い。また、ペン情報送信部２２３０１は、その他のトリガーにより情報を送信しても良い。ペン情報送信部２２３０１は、通常、無線または有線の通信手段で実現されるが、放送手段で実現されても良い。
【００８０】
第二ペン情報受信部２２５０１は、情報出力装置２２３から電子ペン１２で記載された情報を受信する。第二ペン情報受信部２２５０１は、無線の通信手段が好適であるが、放送を受信する手段や有線の通信手段でも実現可能である。
以下、本情報処理システムの動作について説明する。電子ペン１２、送信装置１４の動作については説明済みである。
【００８１】
次に、情報出力装置２２３の動作について説明する。情報出力装置２２３は、電子ペン１２から情報を受信し、サーバ装置２２５に送信する。そして、当該情報の送信に対応して、サーバ装置２２５からカードを受信する。その他のコンテンツ出力やカード操作等の情報出力装置２２３の処理は、情報出力装置１３と同様である。
次に、サーバ装置２２５の動作について説明する。サーバ装置２２５は、ペンの情報を受信し、カードを構成し、カードを情報出力装置２２３に送信する。カードを構成する処理については、説明済みである。
【００８２】
以上、本実施の形態によれば、電子ペンを用いた教育システムにおいて、コンテンツを視聴しながら記載した情報から、自動的に暗記のためのカードが構成される。また、そのカードを使用して、ユーザは、種々の重要事項を暗記することができる。つまり、本情報処理システムは、ユーザの暗記を簡単に補助することができる。さらに、本実施の形態によれば、サーバ装置２２５を保有している業者は、カードを構成するサービスを独自に提供できる。
【００８３】
なお、本実施の形態において、情報出力装置２２３は、複数の装置に分離されていても良い。つまり、例えば、複数の装置は３つであり、当該３つの装置は、コンテンツを受信して出力する装置と、電子ペン１２から情報を受信して送信する装置と、カードを受信して、ユーザのカード操作により学習を支援する装置である。
【００８４】
さらに、本実施の形態における情報出力装置を実現するソフトウェアは、以下のようなプログラムである。つまり、このプログラムは、コンピュータに、送信装置からコンテンツを受信するコンテンツ受信ステップと、前記コンテンツを出力する情報出力ステップと、前記電子ペンから情報を受信するペン情報受信ステップと、前記ペン情報受信ステップで受信した情報をサーバ装置に送信するペン情報送信ステップと、前記サーバ装置に送信した情報に基づいて構成された情報であり、問題情報と解答情報を対に有する情報であるカードを、前記サーバ装置から受信するカード受信ステップと、前記カード受信ステップで受信したカードを蓄積するカード蓄積ステップと、カードの操作に関する指示である操作指示を受け付ける操作指示受付ステップと、前記操作指示に基づいて、前記カード蓄積ステップで蓄積したカードの問題情報または／および解答情報を取得するカード操作ステップと、前記カード操作ステップで取得したカードの問題情報または／および解答情報を出力するカード出力ステップを実行させるためのプログラム、である。
【００８５】
また、サーバ装置を実現するソフトウェアは、以下のようなプログラムである。つまり、このプログラムは、コンピュータに、情報出力装置から電子ペンで記載された情報を受信する第二ペン情報受信ステップと、前記第二ペン情報受信ステップで受信した情報に基づいて、問題情報と解答情報を対に有するカードを構成するカード構成ステップと、前記カード構成ステップで構成したカードを前記情報出力装置に送信するカード送信ステップを実行させるためのプログラム、である。
（実施の形態４）
本実施の形態において、実施の形態２におけるカードを構成する処理を情報出力装置とは別のサーバ装置が行なう態様について説明する。
【００８６】
図２４は、本実施の形態における情報処理システムの概念図である。本情報処理システムは、媒体１１、電子ペン１２、情報出力装置２４３、送信装置１４、サーバ装置２４５、カード操作装置２４６を具備する。なお、サーバ装置２２５は、例えば、カードを作成し、学習するユーザに送信するサービスを行なうＡＳＰのサーバ装置である。
図２５は、本実施の形態における情報処理システムのブロック図である。
情報出力装置２４３は、コンテンツ受信部１３０１、情報出力部１３０２、ペン情報受信部１３０３、ペン情報送信部２２３０１、カード受信部１５５０１、カード送信部１５３０１を具備する。
サーバ装置２４５は、第二ペン情報受信部２２５０１、カード構成部１３０４、第二カード送信部２４５０１を具備する。
カード操作装置２４６は、第二カード受信部２４６０１、カード蓄積部１５５０２、操作指示受付部１３０５、カード操作部１３０６、カード出力部１３０７を具備する。
【００８７】
第二カード送信部２４５０１は、カード構成部１３０４が構成したカードを情報出力装置２４３に送信する。第二カード送信部２４５０１は、通常、第二ペン情報受信部２２５０１が情報を受信し、カード構成部１３０４がカードを構成した後、ただちにカードを情報出力装置２４３に送信する。しかし、ユーザ指示によるなど、第二カード送信部２４５０１は、カードを送信するタイミングは問わない。第二カード送信部２４５０１は、通常、無線または有線の通信手段で実現されるが、放送手段で実現されても良い。
第二カード受信部２４６０１は、情報出力装置２４３からカードを受信する。第二カード受信部２４６０１は、通常、無線または有線の通信手段で実現されるが、放送を受信する手段で実現されても良い。
以下、本情報処理システムの動作について説明する。電子ペン１２、送信装置１４の動作については説明済みである。また、カード操作装置２４６の動作については、カード操作装置１５５と同様である。
【００８８】
次に、情報出力装置２４３の動作について説明する。情報出力装置２４３は、概ね情報の中継の役割りを果たす。つまり、情報出力装置２４３は、送信装置１４から受信したコンテンツを出力する。また、情報出力装置２４３は電子ペン１２から受信した電子ペンの情報をサーバ装置２４５に送信する。さらに、情報出力装置２４３は、サーバ装置２４５から受信したカードをカード操作装置２４６に送信する。コンテンツの受信や出力のタイミングは問わない。情報出力装置２４３は、通常、ユーザ指示によりコンテンツの受信し、出力する。また、情報出力装置２４３の電子ペンの情報の送受信のタイミングも問わない。さらに、情報出力装置２４３のカードの送受信のタイミングも問わない。
次に、サーバ装置２４５の動作について説明する。サーバ装置２４５は、ペンの情報を受信し、カードを構成し、カードを情報出力装置２４３に送信する。カードを構成する処理については、説明済みである。
【００８９】
以上、本実施の形態によれば、電子ペンを用いた教育システムにおいて、コンテンツを視聴しながら記載した情報から、自動的に暗記のためのカードが構成される。また、そのカードを使用して、ユーザは、種々の重要事項を暗記することができる。つまり、本情報処理システムは、ユーザの暗記を簡単に補助することができる。また、本実施の形態によれば、サーバ装置を保有している業者は、カードを構成するサービスを独自に提供できる。さらに、本実施の形態によれば、暗記するための装置であるカード操作装置を携帯でき、電車の中などの家庭以外の場所でも有効に学習時間が確保できる。
【００９０】
なお、本実施の形態において、情報出力装置２４３は、複数の装置に分離されていても良い。つまり、例えば、複数の装置は３つであり、当該３つの装置は、コンテンツを受信して出力する装置と、電子ペン１２から情報を受信して送信する装置と、カードを受信して、送信する装置である。
【００９１】
さらに、本実施の形態における情報出力装置を実現するソフトウェアは、以下のようなプログラムである。つまり、このプログラムは、コンピュータに、送信装置からコンテンツを受信するコンテンツ受信ステップと、前記コンテンツを出力する情報出力ステップと、前記電子ペンから情報を受信するペン情報受信ステップと、前記ペン情報受信ステップで受信した情報をサーバ装置に送信するペン情報送信ステップと、前記サーバ装置に送信した情報に基づいて構成された情報であり、問題情報と解答情報を対に有する情報であるカードを、前記サーバ装置から受信するカード受信ステップと、前記カード受信ステップで受信したカードを前記カード操作装置に送信するカード送信ステップを実行させるためのプログラム、である。
【００９２】
また、サーバ装置を実現するソフトウェアは、以下のようなプログラムである。つまり、このプログラムは、コンピュータに、情報出力装置から電子ペンで記載された情報を受信する第二ペン情報受信ステップと、前記第二ペン情報受信ステップで受信した情報に基づいて、問題情報と解答情報を対に有するカードを構成するカード構成ステップと、前記カード構成ステップで構成したカードを前記情報出力装置に送信するカード送信ステップを実行させるためのプログラム、である。
【００９３】
さらに、カード操作装置を実現するソフトウェアは、以下のようなプログラムである。つまり、このプログラムは、コンピュータに、前記カードを受信する第二カード受信ステップと、前記カード受信ステップで受信したカードを蓄積するカード蓄積ステップと、カードの操作に関する指示である操作指示を受け付ける操作指示受付ステップと、前記操作指示に基づいて、前記カード蓄積ステップで蓄積したカードの問題情報または／および解答情報を取得するカード操作ステップと、前記カード操作ステップで取得したカードの問題情報または／および解答情報を出力するカード出力ステップを実行させるためのプログラム、である。
（実施の形態５）
【００９４】
本実施の形態において、上記実施の形態において、コンテンツを受信して出力するか否かに関わらず、ユーザが電子ペン１２で媒体１１に記載した情報に基づいて問題情報と解答情報を有するカードを構成するシステムについて説明する。
図２６は、本実施の形態における情報処理システムの概念図である。本情報処理システムは、媒体１１、電子ペン１２、情報出力装置２６３、カード操作装置１５５を具備する。
図２７は、本実施の形態における情報処理システムのブロック図である。
情報出力装置２６３は、ペン情報受信部１３０３、カード構成部２６３０４、カード送信部１５３０１を具備する。
【００９５】
カード構成部２６３０４は、ペン情報受信部１３０３が受信した情報に基づいて、問題情報と解答情報を対に有するカードを構成する。カード構成部２６３０４は、ここでは、ペン情報受信部１３０３が受信した情報に基づいて、カードの問題情報と解答情報を構成し、カードを生成する。カード構成部２６３０４は、通常、ＭＰＵやメモリ等から実現され得る。カード構成部１３０４の処理手順は、通常、ソフトウェアで実現され、当該ソフトウェアはＲＯＭ等の記録媒体に記録されている。但し、ハードウェア（専用回路）で実現しても良い。なお、カード構成部２６３０４は、実施の形態１から実施の形態４で述べたように、ペン情報受信部１３０３が受信した情報に基づいて、カードの解答情報を構成し、予め格納している問題情報と構成した解答情報に基づいて、カードを生成しても良い。
以下、本情報処理システムの動作について説明する。まず、電子ペン１２、カード操作装置１５５の動作については説明済みである。
次に、情報出力装置１３の動作について、図２８、図２９のフローチャートを用いて説明する。
【００９６】
（ステップＳ２８０１）ペン情報受信部１３０３は、電子ペン１２から情報を受信したか否かを判断する。電子ペン１２から情報を受信すればステップＳ２８０２に行き、電子ペン１２から情報を受信しなければステップＳ２８０７に飛ぶ。ここでは、例えば、ペン情報受信部１３０３は、ユーザが記載したカードの情報を一度にすべて受信する、とする。
（ステップＳ２８０２）カード構成部２６３０４は、カウンタｉに１を代入する。
【００９７】
（ステップＳ２８０３）カード構成部２６３０４は、ステップＳ２８０１で受信した情報の中に、ｉ番目のひとまとまりの情報（ｉ番目のカードを構成する情報）が存在するか否かを判断する。ｉ番目のカードを構成する情報が存在すればステップＳ２８０４に行き、ｉ番目のカードを構成する情報が存在しなければステップＳ２８０１に戻る。
（ステップＳ２８０４）カード構成部２６３０４は、ｉ番目のカードを構成する情報を取得する。
（ステップＳ２８０５）カード構成部２６３０４は、ｉ番目のカードを構成する情報に基づいてカードを構成する。
（ステップＳ２８０６）カード構成部２６３０４は、カウンタｉを１、インクリメントする。ステップＳ２８０２に戻る。
【００９８】
（ステップＳ２８０７）カード送信部１５３０１は、カードを送信するタイミングであるか否かを判断する。カードを送信するタイミングであればステップＳ２８０８に行き、カードを送信するタイミングでなければステップＳ２８０１に戻る。カードを送信するタイミングは問わない。所定数のカードの情報が蓄積されればカードを送信するタイミングであると判断しても良いし、ユーザの指示を受け付けることによりカードを送信するタイミングであると判断しても良い。
（ステップＳ２８０８）カード送信部１５３０１は、カウンタｉに１を代入する。
【００９９】
（ステップＳ２８０９）カード送信部１５３０１は、ｉ番目のカードが存在するか否かを判断する。ｉ番目のカードが存在すればステップＳ２８１０に行き、ｉ番目のカードが存在しなければステップＳ２８０１に戻る。
（ステップＳ２８１０）カード送信部１５３０１は、カード構成部２６３０４が構成して蓄積しているｉ番目のカードを取得する。なお、カードは、問題情報と解答情報を有する。
（ステップＳ２８１１）カード送信部１５３０１は、ステップＳ２８１０で取得したカードをカード操作装置１５５に送信する。
（ステップＳ２８１２）カード送信部１５３０１は、カウンタｉを１、インクリメントする。ステップＳ２８０９に戻る。
なお、図２８のフローチャートにおいて、電源オフや処理終了の割り込みにより処理は終了する。
次に、カードを構成する動作について、図２９のフローチャートを用いて説明する。
【０１００】
（ステップS２９０１）カード構成部２６３０４は、対応するカードを構成する座標情報群の中の問題情報を構成する座標情報群を取得する。この問題情報を構成する座標情報群は、カードの表を構成する。なお、カード構成部２６３０４は、媒体１１中の問題領域の座標情報（例えば、領域の左上座標、右下座標）を保持しており、当該領域内に存在する座標情報群を取得する。
（ステップS２９０２）カード構成部２６３０４は、ステップS２９０１で取得した座標情報群からビットマップを構成する。
【０１０１】
（ステップS２９０３）カード構成部２６３０４は、ステップS２９０２で構成したビットマップ（問題情報）を蓄積する。なお、蓄積する問題情報は、ビットマップではなく、受信した座標情報群でも良い。また、場合によっては、座標情報群を文字コードにして、当該文字コードを蓄積しても良い。
（ステップS２９０４）カード構成部２６３０４は、対応するカードを構成する座標情報群の中の解答情報を構成する座標情報群を取得する。
（ステップS２９０５）カード構成部２６３０４は、ステップS２９０４で取得した座標情報群からビットマップを構成する。
（ステップS２９０６）カード構成部２６３０４は、カード構成部２６３０４は、ステップS２９０５で構成したビットマップ（解答情報）を蓄積する。上位関数にリターンする。
【０１０２】
以下、本実施の形態における情報処理システムの具体的な動作について説明する。情報処理システムの概念図は図２６である。また、図３０は、媒体１１の例である。媒体１１は、電子的なカードを構成するためのものである。また、媒体１１は、カードの表を記載する領域（問題領域とも言う）と、カードの裏を記載する領域（解答領域とも言う）の対を1以上有する。なお、媒体１１をカード生成ノートという。本媒体１１は、問題を記載した領域である問題領域（カードの表の領域）と解答を記載する領域である解答領域（カードの裏の領域）の対を１以上有し、前記問題領域と前記解答領域に記載された内容に基づいてカードが構成され得る媒体である。
【０１０３】
図３１は、情報出力装置２６３が保持しているカード領域管理表である。カード領域管理表は、「ＩＤ」「表領域」「裏領域」を有するレコードを1以上管理している。「表領域」は、カード生成ノートの「カード表」の領域を示す座標情報である。「表領域」は、当該領域の左上座標値、右下座標値を有する。「裏領域」は、カード生成ノートの「カード裏」の領域を示す座標情報である。
また、カード操作装置１５３は、ここでは、携帯端末である。
【０１０４】
図３２は、情報出力装置２６３が保持しているカード管理表である。カード管理表は、ユーザが電子ペン１２でカード生成ノートに記載した情報（カードの情報）を管理する表である。ここでのカード管理表は、「ＩＤ」「カード表」「カード裏」を有するレコードを1以上管理している。「カード表」は、カードの表の情報（問題情報）、「カード裏」は、カードの裏の情報（解答情報）である。
【０１０５】
かかる場合、ユーザは、電子ペン１２で例えば、図３０に示すように、１つのカードの表と裏を記載した場合、情報出力装置２６３は、図３２に示すカードの情報を生成する。カードの生成は、カード管理表の属性値を埋める処理である。
【０１０６】
そして、情報出力装置２６３は、例えば、ユーザ指示により、カードをカード操作装置１５５に送信する。そして、ユーザは、カード操作装置１５５を携帯して、例えば、電車の中で、重要な事項を暗記する。かかるカード操作装置１５５の使い方は、上記の実施の形態と同様である。
なお、本実施の形態において、カードの問題情報も解答情報も、電子ペン１２で記載した手書き文字等となる。
【０１０７】
以上、本実施の形態によれば、電子ペンを用いて、いわゆる暗記のためのカード（電子的なカード）が簡単に作成できる。また、そのカードを使用して、ユーザは、種々の重要事項を暗記することができる。つまり、本情報処理システムは、ユーザの暗記を簡単に補助することができる。また、本実施の形態によれば、暗記するための装置であるカード操作装置を携帯でき、電車の中などの家庭以外の場所でも有効に学習時間が確保できる。さらに、本実施の形態によれば、カードの問題情報も解答情報も、電子ペン１２で記載した手書き文字であるので、非常に親しみのある、暗記しやすい、電子的なカードが作成できる。
【０１０８】
なお、本実施の形態において、カードの生成は情報出力装置２６３が行なったが、上述した実施の形態のように、カードの生成は、サーバ装置がおこなっても良い。そのようにすれば、サーバ装置を保有している業者は、カードを構成するサービスを独自に提供できる。
【０１０９】
また、本実施の形態において、カード操作装置のカード操作は、情報出力装置が行なっても良い。かかる場合の情報処理システムは、媒体と、電子ペンと、情報出力装置を具備する情報処理システムであって、前記媒体は、問題を記載した領域である問題領域と解答を記載する領域である解答領域の対を１以上有し、前記電子ペンは、前記媒体に記載された情報を取得する情報取得部と、前記情報取得部が取得した情報を前記情報出力装置に送信する送信部を具備し、前記情報出力装置は、前記電子ペンから情報を受信するペン情報受信部と、前記ペン情報受信部が受信した情報に基づいて、問題情報と解答情報を対に有するカードを構成するカード構成部と、前記カード構成部が構成したカードの問題情報または／および解答情報を出力するカード出力部を具備する情報処理システム、である。なお、かかるカード出力部における出力とは、ディスプレイへの表示、プリンタへの印字、音出力、外部の装置への送信、記録媒体への蓄積等を含む概念である。
【０１１０】
さらに、本実施の形態における情報出力装置を実現するソフトウェアは、以下のようなプログラムである。つまり、このプログラムは、コンピュータに、電子ペンから情報を受信するペン情報受信ステップと、前記ペン情報受信ステップで受信した情報に基づいて、問題情報と解答情報を対に有するカードを構成するカード構成ステップと、前記カード構成ステップで構成したカードの問題情報または／および解答情報を出力するカード出力ステップを実行するためのプログラム、である。なお、ペン情報受信ステップにおけるペン情報の受信は、直接的な受信でなくても良い。さらに、カード出力ステップにおける出力とは、ディスプレイへの表示、プリンタへの印字、音出力、外部の装置への送信、記録媒体への蓄積等を含む概念である。
【０１１１】
また、上記各実施の形態において、各処理（各機能）は、単一の装置（システム）によって集中処理されることによって実現されてもよく、あるいは、複数の装置によって分散処理されることによって実現されてもよい。つまり、上記の実施の形態において、以下の情報出力方法が提供できれば、いかなる装置を組み合わせて、当該情報出力方法を実現するかは問わない。その情報出力方法は、コンテンツを受信するステップと、前記コンテンツを出力するステップと、問題を記載した領域である問題領域と解答を記載する領域である解答領域の対を１以上有する媒体に記載された情報を電子ペンから受信するステップと、前記受信した情報に基づいて、問題情報と解答情報を対に有するカードを構成するステップと、カードの操作に関する指示である操作指示を受け付けるステップと、前記操作指示に基づいて、前記カードの問題情報または／および解答情報を出力するステップを具備する情報出力方法である。
【０１１２】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
また、上記プログラムを実行するコンピュータは、単数であってもよく、複数であってもよい。すなわち、集中処理を行ってもよく、あるいは分散処理を行ってもよい。
また、上記各実施の形態において、一の装置に存在する２以上の通信手段（情報送信部など）は、物理的に一の媒体で実現されても良いことは言うまでもない。
本発明は、以上の実施の形態に限定されることなく、種々の変更が可能であり、それらも本発明の範囲内に包含されるものであることは言うまでもない。
【産業上の利用可能性】
【０１１３】
以上のように、本発明にかかる情報処理システムは、電子ペンを用いた教育システムにおいて、コンテンツを視聴しながら記載した情報から、自動的に暗記のためのカードが構成されるという効果を有し、教育支援システム等として有用である。
【図面の簡単な説明】
【０１１４】
【図１】実施の形態１における情報処理システムの概念図
【図２】同情報処理システムのブロック図
【図３】同座標検出技術を説明する図
【図４】同情報出力装置の動作について説明するフローチャート
【図５】同情報出力装置の動作について説明するフローチャート
【図６】同媒体の例を示す図
【図７】同カード管理表を示す図
【図８】同情報処理システムの使用例を示す図
【図９】同電子ペンが情報出力装置に送信する情報の例を示す図
【図１０】同カード情報管理表を示す図
【図１１】同情報処理システムの使用例を示す図
【図１２】同情報処理システムの使用例を示す図
【図１３】同媒体の例を示す図
【図１４】同カード管理表を示す図
【図１５】実施の形態２における情報処理システムの概念図
【図１６】同情報処理システムのブロック図
【図１７】同情報出力装置の動作について説明するフローチャート
【図１８】同カード操作装置の動作について説明するフローチャート
【図１９】同カード操作装置に、蓄積されたカードの情報例を示す図
【図２０】同カード操作装置の表示例を示す図
【図２１】同カード操作装置の表示例を示す図
【図２２】実施の形態３における情報処理システムの概念図
【図２３】同情報処理システムのブロック図
【図２４】実施の形態４における情報処理システムの概念図
【図２５】同情報処理システムのブロック図
【図２６】実施の形態５における情報処理システムの概念図
【図２７】同情報処理システムのブロック図
【図２８】同情報出力装置の動作について説明するフローチャート
【図２９】同情報出力装置の動作について説明するフローチャート
【図３０】同媒体の例を示す図
【図３１】同カード領域管理表を示す図
【図３２】同カード管理表を示す図
【符号の説明】
【０１１５】
１１  媒体
１２  電子ペン
１３、１５３、２２３、２４３、２６３  情報出力装置
１４  送信装置
１５３、１５５、２４６  カード操作装置
２２５、２４５  サーバ装置
１２０１  情報取得部
１２０２  送信部
１３０１  コンテンツ受信部
１３０２  情報出力部
１３０３  ペン情報受信部
１３０４、２６３０４  カード構成部
１３０５  操作指示受付部
１３０６  カード操作部
１３０７  カード出力部
１４０１  コンテンツ格納部
１４０２  コンテンツ送信部
１３０４１  情報格納手段
１３０４２  解答情報構成手段
１５３０１  カード送信部
１５５０１  カード受信部
１５５０２  カード蓄積部
２２３０１  ペン情報送信部
２２５０１  第二ペン情報受信部
２４５０１  第二カード送信部
２４６０１  第二カード受信部
【図１】
2006162972.tif 000003
【図２】
2006162972.tif 000004
【図３】
2006162972.tif 000005
【図４】
2006162972.tif 000006
【図５】
2006162972.tif 000007
【図６】
2006162972.tif 000008
【図７】
2006162972.tif 000009
【図８】
2006162972.tif 000010
【図９】
2006162972.tif 000011
【図１０】
2006162972.tif 000012
【図１１】
2006162972.tif 000013
【図１２】
2006162972.tif 000014
【図１３】
2006162972.tif 000015
【図１４】
2006162972.tif 000016
【図１５】
2006162972.tif 000017
【図１６】
2006162972.tif 000018
【図１７】
2006162972.tif 000019
【図１８】
2006162972.tif 000020
【図１９】
2006162972.tif 000021
【図２０】
2006162972.tif 000022
【図２１】
2006162972.tif 000023
【図２２】
2006162972.tif 000024
【図２３】
2006162972.tif 000025
【図２４】
2006162972.tif 000026
【図２５】
2006162972.tif 000027
【図２６】
2006162972.tif 000028
【図２７】
2006162972.tif 000029
【図２８】
2006162972.tif 000030
【図２９】
2006162972.tif 000031
【図３０】
2006162972.tif 000032
【図３１】
2006162972.tif 000033
【図３２】
2006162972.tif 000034